(57)【要約】【課題】登録者のＩＤ情報の送信・受信・更新を可能にし、且つ登録者本人にそれらの作業が簡単に行えるようにすると同時に登録者本人が望む情報も簡単に保存することができるＩＤ装置による情報携帯システムを提供する。【解決手段】登録者に関する情報を記憶するＩＤ装置と、該ＩＤ装置に記憶した情報を外部に送信する送信手段と、該ＩＤ装置に新規情報を受信する受信手段と、外部のパソコンまたは携帯電話機で更新する更新手段とを有するＩＤ装置による情報携帯システムであって、前記ＩＤ装置を上顎中切歯または上顎側切歯のいずれかの位置に貼着する。【選択図】図１
2009169568.tif 000002
【特許請求の範囲】
【請求項１】
登録者に関する情報を記憶するＩＤ装置と、該ＩＤ装置に記憶した情報を外部に送信する送信手段とを有するＩＤ装置による情報携帯システムであって、前記ＩＤ装置を上顎中切歯または上顎側切歯のいずれかの位置に貼着することを特徴とするＩＤ装置による情報携帯システム。
【請求項２】
登録者に関する情報を記憶するＩＤ装置と、該ＩＤ装置に新規情報を受信する受信手段とを有するＩＤ装置による情報携帯システムであって、前記ＩＤ装置を上顎中切歯または上顎側切歯のいずれかの位置に貼着することを特徴とするＩＤ装置による情報携帯システム。
【請求項３】
登録者に関する情報を記憶するＩＤ装置と、該ＩＤ装置に記憶した情報を、外部のパソコンまたは携帯電話機で更新する更新手段とを有するＩＤ装置による情報携帯システムであって、前記ＩＤ装置を上顎中切歯または上顎側切歯のいずれかの位置に貼着することを特徴とするＩＤ装置による情報携帯システム。
【請求項４】
登録者に関する情報を記憶するＩＤ装置と、該ＩＤ装置に記憶した情報を外部に送信する送信手段と、該ＩＤ装置に新規情報を受信する受信手段と、外部のパソコンまたは携帯電話機で更新する更新手段とを有するＩＤ装置による情報携帯システムであって、前記ＩＤ装置を上顎中切歯または上顎側切歯のいずれかの位置に貼着することを特徴とするＩＤ装置による情報携帯システム。
【請求項５】
ＩＤ装置は、ＩＣチップ内蔵の薄型シート形状のタグによって形成され、上顎中切歯または上顎側切歯のいずれかの位置に貼着してから、義歯によって成形を施すものとしている請求項１乃至４のいずれかに記載のＩＤ装置による情報携帯システム。
【請求項６】
ＩＤ装置は、登録者に関する情報として、毛髪・皮膚・爪の遺伝子情報も併せて保管・保存できる機能を有する請求項１乃至５のいずれかに記載のＩＤ装置による情報携帯システム。
【請求項７】
前記義歯を情報の送信・受信・更新のアンテナとして使用可能にした請求項５に記載のＩＤ装置による情報携帯システム。
【請求項８】
前記ＩＣチップは、情報の送信・受信・更新の機能を備えた請求項５乃至７記載のＩＤ装置による情報携帯システム。
【請求項９】
前記ＩＣチップを含むＩＤ装置に加えて、携帯用送受信機および上顎下顎を含む歯型認識装置を備え、ＩＤ装置・携帯用送受信機・上顎下顎を含む歯型認識装置それぞれからの信号を照合することで、情報の送信・受信・更新・漏洩防止の実行を可能とする三段階のセキュリティ機能を装備した請求項１乃至８のいずれかに記載のＩＤ装置による情報携帯システム。
【発明の詳細な説明】
【技術分野】
【０００１】
本発明は、登録者個人に関する情報を記憶するＩＤ装置を、登録者の口腔内に装着し、その情報を活用可能としたＩＤ装置による情報携帯システムに関するものである。
【背景技術】
【０００２】
従来におけるこの種の装置としては、例えば、特許文献１に開示されているように、痴呆性老人等の徘徊者を感知して管理者に通告できる読み取り入力装置、または、ドナー登録者等を感知して登録者の善意を読み取ることができる読み取り入力装置なる技術が存在する。
【０００３】
また、特許文献２に開示されているように、口腔内情報携帯装置の情報を読み取ったり、当該装置に情報を入力したりする読み取り入力装置なる技術が存在する。
【０００４】
これらは共に、発信装置と受信装置を備えた痴呆性老人等の徘徊者感知システム及びドナー登録者の感知システムならびに全てのＩＤ情報登録者の感知システムに係るもので、受信装置は管理者が認識できる位置に付設され、発信装置には少なくともアンテナとＩＣパッケージとが備えられており、ＩＤ情報を発信することができるものとしている。
【０００５】
そして、この感知システムの装着方法として、この発信装置が、徘徊老人等の徘徊者、ドナー登録者及びＩＤ情報登録者さらには悪意を持つ第三者が勝手に又は容易に取り外すことができない身体の一部である口腔内に装着されるものとし、より具体的には、発信装置は徘徊者又はドナー登録者等の対象者の義歯及び歯牙等に埋込むことが好ましいものとしている。
【特許文献１】特開２００１−１３４８７２号公報
【特許文献２】特開２００１−２５６４５１号公報
【発明の開示】
【発明が解決しようとする課題】
【０００６】
しかしながら、従来においては、発信装置は、徘徊者又はドナー登録者等の対象者の義歯及び歯牙等に埋込むことが好ましいものとされているものの、その具体的な歯の箇所については限定されていない。
【０００７】
すなわち、この取り付け箇所の若干の違いによって、電波が遮られてしまうことから、送受信のレベル感度に大きな差が見られるものとなる。
【０００８】
しかも、従来では受信装置は管理者が認識できる位置に付設され、発信装置のみが徘徊者又はドナー登録者等の対象者の義歯及び歯牙等に埋込まれることから、発信装置は情報の送信が可能であるが、情報の受信や更新、さらには漏洩防止等の実行が不可能となっている。
【０００９】
このため、登録者本人が望む情報を登録者自らによって保存することができないという欠点があり、登録者側で有利となるように、さらなる改良の余地が残されている。
【００１０】
そこで、本発明は叙上のような従来存した諸事情に鑑み創出されたもので、従来の情報携帯システムの口腔内歯への装着位置の具体化により正確な情報の送受信が得られると共に、当該情報携帯システムを構成する読み取り入力装置のさらに発展的な改良によって、登録者のＩＤ情報の送信・受信・更新を可能にし、且つ登録者本人にそれらの作業が簡単に行えるようにすると同時に、登録者本人が望む情報も簡単に保存することができ、さらに情報の漏洩防止が可能となるセキュリティ機能を装備した、ＩＤ装置による情報携帯システムを提供することを目的とする。
【課題を解決するための手段】
【００１１】
本発明は、登録者に関する情報を記憶するＩＤ装置と、該ＩＤ装置に記憶した情報を外部に送信する送信手段とを有するＩＤ装置による情報携帯システムであって、前記ＩＤ装置を上顎中切歯または上顎側切歯のいずれかの位置に貼着することによって、上述した課題を解決したものである。
【００１２】
また、登録者に関する情報を記憶するＩＤ装置と、該ＩＤ装置に新規情報を受信する受信手段とを有するＩＤ装置による情報携帯システムであって、前記ＩＤ装置を上顎中切歯または上顎側切歯のいずれかの位置に貼着することで、同じく上述した課題を解決したものである。
【００１３】
さらに、登録者に関する情報を記憶するＩＤ装置と、該ＩＤ装置に記憶した情報を、外部のパソコンまたは携帯電話機で更新する更新手段とを有するＩＤ装置による情報携帯システムであって、前記ＩＤ装置を上顎中切歯または上顎側切歯のいずれかの位置に貼着することで、同じく上述した課題を解決したものである。
【００１４】
また、登録者に関する情報を記憶するＩＤ装置と、該ＩＤ装置に記憶した情報を外部に送信する送信手段と、該ＩＤ装置に新規情報を受信する受信手段と、外部のパソコンまたは携帯電話機で更新する更新手段とを有するＩＤ装置による情報携帯システムであって、前記ＩＤ装置を上顎中切歯または上顎側切歯のいずれかの位置に貼着することで、同じく上述した課題を解決したものである。
【００１５】
加えて、ＩＤ装置は、ＩＣチップ内蔵の薄型シート形状のタグによって形成され、上顎中切歯または上顎側切歯のいずれかの位置に貼着してから、義歯によって成形を施すことで、同じく上述した課題を解決したものである。
【００１６】
また、ＩＤ装置は、登録者に関する情報として、毛髪・皮膚・爪の遺伝子情報も併せて保管・保存できる機能を有することで、同じく上述した課題を解決したものである。
【００１７】
この他、前記義歯を情報の送信・受信・更新のアンテナとして使用可能にしたことで、同じく上述した課題を解決したものである。
【００１８】
また、前記ＩＣチップは、情報の送信・受信・更新の機能を備えたことで、同じく上述した課題を解決したものである。
【００１９】
さらに、前記ＩＣチップを含むＩＤ装置に加えて、携帯用送受信機および上顎下顎を含む歯型認識装置を備え、ＩＤ装置・携帯用送受信機・上顎下顎を含む歯型認識装置それぞれからの信号を照合することで、情報の送信・受信・更新・漏洩防止の実行を可能とする三段階のセキュリティ機能を装備したことで、同じく上述した課題を解決したものである。
【発明の効果】
【００２０】
本発明によれば、従来の情報携帯システムの口腔内歯への装着位置の具体化により正確な情報の送受信が得られると共に、当該情報携帯システムを構成する読み取り入力装置のさらに発展的な改良によって、登録者のＩＤ情報の送信・受信・更新を可能にしている。
【００２１】
また、登録者本人にそれらの作業が簡単に行えるようにすると同時に、登録者本人が望む情報も簡単に保存することができ、さらに、情報の漏洩防止が可能となるセキュリティ機能を装備したＩＤ装置による情報携帯システムを提供することができる。
【００２２】
すなわち、本発明では、ＩＤ装置を上顎中切歯または上顎側切歯のいずれかの位置に貼着するものとしたので、これにより、正確な情報の送受信が得られる。しかも、上顎中切歯または上顎側切歯のいずれも面積が広いため、確実に装着することができ、装着の違和感も生じない。
【００２３】
また、ＩＤ装置は、ＩＣチップ内蔵の薄型シート形状のタグによって形成され、上顎中切歯または上顎側切歯のいずれかの位置に貼着してから、義歯によって成形を施すものとしたので、ＩＤ装置自体の存在が他人によって悟られず、しかも、他人によって勝手に外されたりする心配がない。
【００２４】
さらに、ＩＤ装置は、登録者に関する情報として、毛髪・皮膚・爪の遺伝子情報も併せて保管・保存できる機能を有するので、遺伝子情報に基づいて登録者が本当に本人であるか否かの判別が正確に行える。
【００２５】
また、前記義歯を情報の送信・受信・更新のアンテナとして使用可能にしたので、電波による送信・受信の感度が向上する。
【００２６】
また、前記ＩＣチップは、情報の送信・受信・更新の機能を備えたので、登録者本人による作業が簡単に行えると共に、登録者本人が望む情報も簡単に保存することができる。
【００２７】
さらに、前記ＩＣチップを含むＩＤ装置に加えて、携帯用送受信機および上顎下顎を含む歯型認識装置を備え、ＩＤ装置・携帯用送受信機・上顎下顎を含む歯型認識装置それぞれからの信号を照合することで、情報の送信・受信・更新・漏洩防止の実行を可能とする三段階のセキュリティ機能を装備したので、登録者情報の第三者への漏洩を確実に防止することができる。
【発明を実施するための最良の形態】
【００２８】
以下に、本発明を実施するための最良の形態を、図面を参照して説明する。
【００２９】
本発明に係る情報携帯システムのＩＤ装置１は、図１に示すように、登録者に関する個人情報を記憶するための、例えば、ＩＣチップ内蔵のメモリー部２と、アンテナ４付きの送受信部３とから構成されている。
【００３０】
そして、送受信部３は、メモリー部２に保存されている情報を、外部端末としてのパソコン５や携帯電話機６に送信する送信手段、および外部端末としてのパソコン５や携帯電話機６からメモリー部２に新規情報を受信して記憶させる受信手段、メモリー部２に記憶した情報を、外部端末としてのパソコン５または携帯電話機６で更新する更新手段それぞれの機能を備えている。
【００３１】
このＩＤ装置１は、ＩＣチップ内蔵の縦横数ミリ単位の薄型シート形状のタグによって形成されており、図２に示すように、登録者の口腔内の歯の中で特に面積が広く且つ遮る障害の少ない上顎中切歯Ｐ（図２（ａ）参照）または上顎側切歯Ｑ（図２（ａ）参照）のいずれかの位置に貼着され、必要に応じて不図示の義歯による成形を施すものとしている。
【００３２】
このＩＤ装置１の歯への装着は、口腔内の専門歯科医師によって、外観の相違や違和感が無いように実行されることが好ましい。また、義歯による成形を施す場合には、ＩＤ装置１のアンテナ４部分がこの義歯に埋め込まれて一体化させることで、当該義歯自体を情報の送信・受信・更新のアンテナ４として機能させることができる。
【００３３】
さらに、本システムには、携帯用送受信機７および上顎下顎を含む歯型認識装置８を備え、ＩＤ装置１・携帯用送受信機７・上顎下顎を含む歯型認識装置８それぞれからの信号を相互に照合することで、情報の送信・受信・更新・漏洩防止の実行を可能にした三段階のセキュリティ機能を装備している。
【００３４】
ＩＤ装置は、登録者に関する個人情報として、例えば、住所、氏名、緊急連絡先、既往症、薬物中毒、アレルギー体質等の医学的情報、その他を登録することが可能である。しかも、登録者の、例えば、毛髪・皮膚・爪の遺伝子情報も併せて保管・保存できる機能を有している。
【００３５】
また、登録者が、例えば、徘徊者の場合は、徘徊者と共にＩＤ装置１が移動することから、アンテナ４付きの送受信部３からの電波により、外部管理者は絶えず徘徊者の個人情報をキャッチすることができると同時に、外部管理者は徘徊者の位置を的確に把握できるものとしている。
【００３６】
さらに、本システムでは、感知機等に近づけば口腔内のＩＤ装置１の個人情報が本人を判別可能にすることから、例えば、キャッシュカード、クレジットカード、デビットカード等の各種カードの代わりが可能となる。
【００３７】
次に、以上のように構成された本発明の最良の形態について、使用、動作の一例を説明する。
【００３８】
先ず、図２に示すように、ＩＣチップ内蔵のタグによって形成されたＩＤ装置１を、登録者の口腔内の歯の中の、特に面積が広く且つ遮る障害の少ない上顎中切歯Ｐ（図２（ａ）参照）または上顎側切歯Ｑ（図２（ａ）参照）のいずれかの位置に貼着し、必要に応じて義歯による成形を施す。
【００３９】
このとき、ＩＤ装置１のアンテナ４部分をこの義歯によって一体化すれば、当該義歯自体は、情報の送信・受信・更新のアンテナ４として機能される。
【００４０】
ＩＤ装置１の送受信部３は、メモリー部２に保存されている情報を、外部端末としてのパソコン５や携帯電話機６に送信することで、登録者の情報を確認する。
【００４１】
また、外部端末としてのパソコン５や携帯電話機６から、ＩＤ装置１のメモリー部２に新規情報を受信して記憶させることで、登録者の情報量が拡張される。
【００４２】
さらに、ＩＤ装置１のメモリー部２に記憶した情報を、外部端末としてのパソコン５または携帯電話機６で更新することで、登録者の情報が常に最新のものに置き換えられる。
【００４３】
そして、ＩＤ装置１・携帯用送受信機７・上顎下顎を含む歯型認識装置８それぞれからの信号を照合し、該信号が相互に適合した際には、情報の送信・受信・更新を可能とさせ、該信号が相互に適合しない場合には、情報の送信・受信・更新を遮断させる。このような三重のセキュリティ機能により、第三者への漏洩が予防される。
【産業上の利用可能性】
【００４４】
本発明に係るＩＤ装置１による情報携帯システムは、登録者が、通常健康者、徘徊者、子供、心身障害者を問わず様々な登録者への情報携帯システムとして、幅広く応用することができる。
【図面の簡単な説明】
【００４５】
【図１】本発明に係るＤ装置による情報携帯システムの具体的な構成を示す説明図である。
【図２】ＩＤ装置を口腔内の歯に装着した例を示すもので、（ａ）はＩＤ装置を上顎中切歯に貼着する状態の展開平面図、（ｂ）はＩＤ装置を上顎側切歯に貼着する状態の展開平面図である。
【符号の説明】
【００４６】
Ｐ…上顎中切歯
Ｑ…下顎側切歯
１…ＩＤ装置
２…メモリー（ＩＣチップ）
３…送受信部
４…アンテナ
５…パソコン
６…携帯電話機
７…携帯用送受信機
８…歯型認識装置
【図１】
2009169568.tif 000003
【図２】
2009169568.tif 000004